(57)【要約】【課題】使い捨て調理用ポリエチレン手袋を利用する際に、直接手で触れて取り出すことなく、衛生的に装着できる方法を提供することを課題とする。【解決手段】紙ボックスに収納されたポップアップ式手袋に酷似する形態であるが、本発明による手袋は、手首側先端部の上面のみにつまみ部を設けた形状であって、該つまみ部を持ち上げた際上面のみが持ち上がり、下面は紙ボックスの開口部に設けられた突起部に掛止されることにより手袋の口が開いた状態となる。そこで手を挿入し手袋の全部を紙ボックスより取り出し完全に装着することができる。【選択図】図１
2016089312.tif 000002
【特許請求の範囲】
【請求項１】
紙ボックスに収納された使い捨て手袋において、該手袋の手首側先端部の上面のみにつまみ部を設け、該つまみ部を持ち上げた際、上面のみが引き出され、下面は紙ボックスの開口部に設けられた突起部に掛止され該手袋の口が開き手の挿入が可能となることにより、該手袋のつまみ部以外に触れることなく装着できることを特徴とする手袋。
【発明の詳細な説明】
【技術分野】
【０００１】
本発明は、主に調理時に利用される使い捨てポリエチレン手袋に関する。
【背景技術】
【０００２】
現代は調理に携わる場合、手指の洗浄において厳しく指導され洗浄ブラシ等で爪の隙間までブラッシングするよう徹底されている。これは調理従事者にとっては非常な負担となり作業効率に大きく影響をきたしている。これに対し、手袋を利用して食材を直接手で扱うことにより、箸を使わずして効率のよい作業を行うことができる。
【０００３】
この手袋は主に整然と重ねられてティッシュボックスのようにポップアップ式にて取り出す携帯のポリエチレン手袋と、もう一つは雑然と箱に入れられた薄形ゴム手袋とがある。これらは用途において使い分けられるが両者とも台所の必需品とも言える。特にポリエチレン手袋は汚れもつきにくく、ごはんもつきにくいことからおにぎりを握る時には必ずというほど利用されている。
【０００４】
また、薄形のゴム手袋は水仕事にも多用され手荒れ防止に効果的である。特に厚形のゴム手袋は何度も利用されるため収納時における吊り下げ用の穴のあいた突起部を設けた特許文献１もみられる。
【先行技術文献】
【特許文献】
【０００５】
【特許文献１】特開２００６−２７４５２２号公報
【発明の概要】
【発明が解決しようとする課題】
【０００６】
ここでは主に業務形態での調理場におけるポリエチレン手袋の利用に関して集約すると、前記のとおりポップアップ式により取り出すため、手指の汚れがポリエチレン手袋に付着してしまうことになる。これは飲食店に対し保健所が行う衛生責任者講習会でも指摘されている事項である。そこで、ポリエチレン手袋を衛生的に手に装着できる方法を提供することを課題とする。
【課題を解決するための手段】
【０００７】
手袋を装着する方法としては、機械により手袋を保持し、そこへ手を入れて装着する方法もみられるが、その場合設置場所やコスト面において適用できない場合も多く、また、装着する際には機械の場所まで行く必要があり業務用の調理場（小規模飲食店）には不可能といえる。
【０００８】
そこで、本発明によるポリエチレン手袋（以下手袋という）の装着方法は、現在主流となっているポップアップ式の手袋の手首側上面となる先端部につまみ部を設け、該つまみ部を引っ張り上げることにより手袋の口を広げ手を挿入する方法である。当然手袋が収納された箱にはいくつかの特徴があり、手袋の口が容易に開けられる構造でなければならない。これについては形態の項にて詳しく説明をする。
【０００９】
また、つまみ部は箱より露出した状態となっている。このつまみ部は前述の特許文献１にみられる突起部とは異なり、ポリエチレン手袋と同素材であり一体となる平面状である。これはコスト面でも製造工程においても最良といえる。
【００１０】
つまみ部は上面のみではなく下面にも備える構造であってもよい。しかし、下面に備える必要性は特になく、むしろ上面のみにより一枚おきにつまみ部があることにより取り出す際のつまみ部が掴みやすいといえる。
【００１１】
設置方法としては主に３種類の方法が考えられる。一つめとしては、ボックスティッシュのように任意の位置にて利用する方法であり、コスト面でも利用面でも有利と考えられるが、手袋の残量が少なくなった場合、重量が軽いためつまみ部を持ち上げた際、箱ごと持ち上がることもあり、手で箱を押さえる必要性が生ずる。その場合、衛生面への配慮が必要となる。
【００１２】
二つめの方法は、箱を固定する方法であって例えばやや高い位置に下向きで箱を固定する方法である。固定方法は専用フレームを用いたり両面テープで粘着したり環境により適応させることができる。利用時はつまみ部を下方へ引くことで手袋の口が開き容易に手を入れることができる。利点としては、箱を置く場所が必要でないため省スペースに有効である。また、箱の中の手袋は重力により最下方に位置するため手袋の取り出しに確実性が高まる。また、箱も固定されているため最後の手袋まで安定して取り出すことができ箱を押さえる必要もない。
【００１３】
三つめの方法としては、専用の箱（専用ケース）を利用することで、水が飛散したり汚れが付着した場合でも洗浄可能であり、箱を固定しなくとも箱の重量により安定して手袋を取り出すことができる。また、専用ケースは蓋を備えることも可能で衛生面でも有利である。
【発明の効果】
【００１４】
本発明による手袋の長所は、ただ一つで直接手袋に触れることなく、つまみ部により装着可能とすることで非常に衛生的であるということである。
【図面の簡単な説明】
【００１５】
【図１】本発明による手袋の平面見取図
【図２】本発明による手袋の正面図
【発明を実施するための形態】
【００１６】
形態にとして詳しく説明する。まず、手袋（１）は現在流通しているボックスティッシュのように紙箱に重ねて収納されたポリエチレン手袋であって、主に調理に利用される形態のものである。しかし本発明による手袋（１）は、衛生上従来の紙箱の中央に設けられた開口部よりつまみ出すポップアップ式によるものではなく、直接手袋（１）に手が触れない方法によるものである。
【００１７】
形状は手首側の上面となる先端につまみ部（２）を備え、開口部は最初に手袋（１）の手前側を持ち上げる手首用開口部（４）と徐徐に手袋（１）を取り出すための取り出し用開口部（６）とがあり、手首用開口部（４）には手袋（１）を持ち上げた際に手袋（１）の手首部分の下面が持ち上がるのを防ぐための突起部（５）が設けられる。
【００１８】
装着手順としては、つまみ部（２）を持ち上げると手袋（１）の上面のみが持ち上がり下面は突起部（５）に掛止され手袋（１）の口が開いた状態となる。ここで手を挿入し手袋（１）を更に上方へ持ち上げると手袋（１）の下面が突起部（５）より開放され紙ボックス（３）より取り出すことができる。ここで手袋（１）を完全に装着することとなる。もう一方の手袋（１）の装着方法は、手袋（１）を装着しない方の手でつまみ部（２）を持ち上げ、手袋（１）を装着した方の手でつまみ部（２）以外の箇所を持ち、この状態で手を挿入し更に紙ボックス（３）より取り出し完全に装着することができる。これにより手袋（１）に直接手が触れることなく衛生的に装着することが可能となる。
【００１９】
当然ながら、手袋（１）は同じ方向（親指の位置が同方向）にて収納されているため、手袋（１）へ手を挿入する際は手の平を上向きにした場合と手の平を下向きにした場合と交互に装着することとなる。また、紙ボックス（３）の上面には手袋（１）の向き（親指の位置）を図示もしくは明記し、手を挿入する際に手の向きを決定することとなる。また、透視できる素材を利用する方法であってもよい。
【００２０】
紙ボックス（３）については、手首側の面がつまみ部（２）を備えるための開口部により左右に分離されるため補強された構造が好ましい。また、市販を前提とするため紙ボックス（３）の上面は密閉されつまみ部（２）も破線により容易に取り外すこのできる取り外しカバー（７）を備えなければならない。利用時における開口部、つまり手首用開口部（４）と取り出し用開口部（６）とつまみ部（２）にできる開口部とを薄ビニールで被覆し、手袋（１）を取り出すための薄ビニールスリット（８）を設ける。
【００２１】
次に専用ケースを利用する場合について説明すると、手袋（１）は紙ボックス（３）ごと専用ケース内に収納されてもよいし、手袋（１）のみを収納する方法でもよい。つまみ部（２）は露出状態であっても、扉を用いて開閉する方法であってもよい。専用ケースの材質は樹脂等により防水であって、洗浄も可能となる。また、蓋を備え紙ボックス（３）の上面を水や塵、害虫等から防護することができる。また、磁石や粘着テープにより設置箇所に固定することもでき、下向きに取り付けた場合は蓋も特に必要とはならない。よって頻繁な利用においても手袋（１）の装着を容易に行うことができる。
【００２２】
最後に手袋（１）における利便性として、つまみ部（２）に粘着テープを備えることで、手首部分を折り畳んで密着した状態で装着することができ、手袋（１）のずれ防止ともなり、手袋（１）内への水や異物の進入を防ぐことができる。また、つまみ部（２）に孔を設け吊り下げて一時保管することも可能である。
【符号の説明】
【００２３】
１    手袋
２    つまみ部
３    紙ボックス
４    手首用開口部
５    突起部
６    取り出し用開口部
７    取り外しカバー
８    薄ビニールスリット
【図１】
2016089312.tif 000003
【図２】
2016089312.tif 000004